(57)【要約】【課題】  発光装置において、複数の画素部で夫々、発光素子の温度制御を精度良く行う。【解決手段】  基板と、該基板上に、所定パターンで配列され、夫々発光素子を含む複数の画素部と、基板上における発光素子が形成された側に設けられた温度制御部とを備える。温度制御部は、基板上で平面的に見て前記発光素子に夫々少なくとも部分的に重なるように又は発光素子を夫々少なくとも部分的に囲むように配置された発熱体を含み、該発熱体に対する通電を行うことで前記発光素子の温度制御を行う。【選択図】  図３
2007081094.tif 000002
【特許請求の範囲】
【請求項１】
基板と、
該基板上に、所定パターンで配列され、発光素子を夫々含む複数の画素部と、
前記基板上における前記発光素子が形成された側に設けられ、前記基板上で平面的に見て前記発光素子に夫々少なくとも部分的に重なるように又は前記発光素子を夫々少なくとも部分的に囲むように配置された発熱体を含み、該発熱体に対する通電を行うことで前記発光素子の温度制御を行う温度制御部と
を備えることを特徴とする発光装置。
【請求項２】
前記温度制御部は、前記通電をスイッチング制御する温度制御用スイッチング素子を更に含むことを特徴とする請求項１に記載の発光装置。
【請求項３】
前記温度制御部は、前記発光素子の温度が、前記温度制御を行わない場合と比較して前記複数の画素部間で均一に近付くように温度制御を行うことを特徴とする請求項１又は２に記載の発光装置。
【請求項４】
前記温度制御部は、前記画素部毎に前記温度制御を行うことを特徴とする請求項１から３のいずれか一項に記載の発光装置。
【請求項５】
前記複数の画素部は、赤、緑、及び青の各々に相当する光を発光する３種類の前記発光素子を含み、
前記温度制御部は、前記３種類の発光素子について、相互間の温度差を縮めるように前記温度制御を行うことを特徴とする請求項１から４のいずれか一項に記載の発光装置。
【請求項６】
前記温度制御部は、前記基板上において、前記発光素子より下層側に配置されていることを特徴とする請求項１から５のいずれか一項に記載の発光装置。
【請求項７】
前記温度制御部は、前記基板上において、前記発光素子と同一の層に配置されていることを特徴とする請求項１から５のいずれか一項に記載の発光装置。
【請求項８】
前記温度制御部は、前記通電を行うことで前記発光素子を加熱することにより前記温度制御を行うことを特徴とする請求項１から７のいずれか一項に記載の発光装置。
【請求項９】
前記発熱体は、前記基板上に積層された薄膜状の抵抗体を有することを特徴とする請求項８に記載の発光装置。
【請求項１０】
前記抵抗体は、少なくとも部分的に透明性導電膜により形成されていることを特徴とする請求項９に記載の発光装置。
【請求項１１】
前記画素部は、前記発光素子への通電をスイッチング制御すると共に、前記温度制御用スイッチング素子を兼ねる画素スイッチング素子を更に含むこと
を特徴とする請求項２から１０のいずれか一項に記載の発光装置。
【請求項１２】
前記画素部は、前記発光素子として有機ＥＬ素子を含むことを特徴とする請求項１から１１のいずれか一項に記載の発光装置。
【請求項１３】
請求項１から１２のいずれか一項に記載の発光装置を具備することを特徴とする電子機器。
【発明の詳細な説明】
【技術分野】
【０００１】
本発明は、例えば有機ＥＬ(Electro-Luminescence)装置等の発光装置及びそのような発光装置を備えた各種電子機器の技術分野に関する。
【背景技術】
【０００２】
この種の発光装置では、例えば特許文献１に開示されているように、基板上には、発光素子を夫々含む複数の画素部が所定パターンで配列されて形成されている。そして、発光装置の駆動時、各画素部において、発光素子は、例えば印加電流が印加されることにより発光する。このような発光装置では、画素部における輝度は印加電流によって制御される。
【０００３】
ここで、各画素部では、発光素子が発光により発熱することにより、発光素子の温度は上昇する。基板上における画素部の配置や、発光素子の駆動条件によって、発光による発光素子の温度変化も異なる。このような発光素子の温度変化によって、印加電流に基づく輝度が変化してしまう。しかも、複数の画素部間において、発光素子の温度に違い或いは温度ムラが生じる事態を招く。その結果、各画素部で、発光素子の劣化の度合い等、発光素子の特性に相違が生じる。
【０００４】
そこで特許文献１では、このような事態を防止するために、基板において、発光素子が形成された側と反対側に温度制御部を設け、この温度制御部によって発光素子の温度制御が行われる。
【０００５】
【特許文献１】特開２００３−２４９３７５号公報
【発明の開示】
【発明が解決しようとする課題】
【０００６】
しかしながら、上述したような技術によれば、基板を介する熱伝導により発光素子の温度制御が行われるため、温度制御部からの熱伝導の効率が低い、という問題点がある。例えば、基板がガラス等のように比較的熱伝導率の低い材料により形成される場合には、温度制御部からの熱伝導の効率は顕著に低くなる。その結果、温度制御部における制御温度と、発光素子の温度との間に温度差が生じる。これにより、表示面内における温度ムラが生じ易くなる。そして、温度ムラにより、表示面内における輝度ムラが引き起こされ、更にこのような温度ムラや輝度ムラによって各発光素子における劣化度合のムラが生じ、これが更なる表示面内における輝度ムラに繋がるという技術的問題点がある。
【０００７】
他方で、各画素部に対して、温度制御部を、発光素子の発光を遮らないように、非開口領域に配置させる必要があるため、開口率が低下する、という問題点もある。言い換えれば、各画素部に対して単純に温度制御部を取り付けたのでは、各画素部の本来の機能である発光を著しく害してしまいかねないのである。尚、本明細書では、各画素或いは各画素部において、発光可能な領域を「開口領域」と称すると共に開口領域以外の領域を「非開口領域」と称し、更には、各画素の全領域（即ち、開口領域及びそれ以外の非開口領域）に占める開口領域の面積割合を「開口率」と称して説明する。
【０００８】
本発明は、上記問題点に鑑み成されたものであり、複数の画素部において、発光素子の温度制御を良好に行うと共に、高品質な表示を行うことが可能な発光装置及びそのような発光装置を備えた各種電子機器を提供することを課題とする。
【課題を解決するための手段】
【０００９】
本発明の発光装置は上記課題を解決するために、基板と、該基板上に、所定パターンで配列され、発光素子を夫々含む複数の画素部と、前記基板上における前記発光素子が形成された側に設けられ、前記基板上で平面的に見て前記発光素子に夫々少なくとも部分的に重なるように又は前記発光素子を夫々少なくとも部分的に囲むように配置された発熱体を含み、該発熱体に対する通電を行うことで前記発光素子の温度制御を行う温度制御部とを備える。
【００１０】
本発明の発光装置によれば、その動作時には、各画素部において、例えば、発光素子に印加電流が印加されることにより、発光素子において発光層が発光する。この場合、印加電流によって、画素部の輝度が制御されると共に、発光により発光素子の温度変化もある程度の範囲内となるように制御される。しかしながら、各画素部において、発光に伴う発光素子の温度変化は、例えば画素部の基板上における位置や、発光素子の駆動条件、表示画像の内容等の諸条件に応じて、互いに相違し、また、発光素子の温度が、印加電流によって規定される範囲外の値となろうとすることもある。従って仮に何らの対策も施さねば、このような温度変化に伴い画素部における輝度も顕著に変化してしまいかねない。
【００１１】
しかるに本発明では特に、各画素部間における発光素子の温度の相違、即ち複数の画素部が配列された面内における温度ムラを是正し、各画素部の温度を均一にするために、温度制御部が設けられている。温度制御部は、基板上で平面的に見て発光素子に夫々少なくとも部分的に重なるように又は発光素子を夫々少なくとも部分的に囲むように配置された発熱体を含み、該発熱体に対する通電を行うことで各画素部の温度制御を行う。温度制御部或いは発熱体の基板上での積層位置は、発光素子の下層側でもよいし、上層側でもよいし、同一層であってもよい。温度制御部或いは発熱体は、画素部毎に設けられるか、これに限らず、例えば、基板上の複数の画素部のうち、所定数の画素部毎に、これら所定数に共通に設けられるようにしてもよい。また、発熱体は、例えば、薄膜状の抵抗体からなり、通電により発熱するが、これに限らず例えばバルク状の抵抗体からなってもよいし、厚膜状の抵抗体からなってもよく、更に、多層構造を有する積層体からなってもよい。また、ここでの温度制御は、典型的には、発熱により加熱することによる温度制御であるが、冷却により温度制御する場合も含む。
【００１２】
そして、温度制御部における各画素部の発熱体への通電に係る電流量や時間の変化によって、各温度制御部の発熱体の温度（以下適宜「制御温度」と称する）についての制御が行われる。尚、発熱体の抵抗や形成領域は、通電に係る電流量や時間から逆算して各発光素子において適当な温度が得られるように予め選定されている。ここでは全ての画素部で相互に同一の形状や抵抗の発熱体が用いられてもよいし、相互に多少異なる形状や抵抗の発熱体が用いられてもよい。係る制御温度に応じて各発光素子の温度が、制御されることになる。このような温度制御部による温度制御の際には、各発光素子の温度を、常に所定値とするか又は所定値に近付けるように制御してもよい。いずれにせよ、何らの温度制御を行わない場合と比較して、相対的に発光素子の温度が、複数の画素部間で均一に近付くように温度制御が行われる。
【００１３】
本発明の発光装置では、既に説明した従来技術の如くに基板を介した熱伝導により温度制御を行う構成と比較して、基板上において、温度制御部による温度制御を、発光素子により接近した位置から、より具体的には、基板上で平面的に見て発光素子に夫々少なくとも部分的に重なる位置で又は発光素子を夫々少なくとも部分的に囲む位置から行っている。尚、本発明において「前記基板上で平面的に見て前記発光素子に夫々少なくとも部分的に重なるように又は前記発光素子を夫々少なくとも部分的に囲むように」とは、平面的に見て発光素子に完全に又は部分的に重なっている場合や、発光素子に全く又は部分的に重なっていないで且つ発光素子を囲んでいる場合の他、発光素子に完全に又は部分的に重なっており且つ発光素子を囲んでいる場合も含む意味である。よって、発光素子に近接配置された温度制御部の発熱体からの発光素子に対する熱伝導の効率を向上させることが可能となる。
【００１４】
以上の結果、温度制御部の発熱体における制御温度と、温度制御の対象である発光素子の温度との間の温度差を小さくすることができる。よって、通常動作時には、基板面内における温度ムラ及び輝度ムラを低減するように、或いはこれに加えて又は代えて時間に対する温度ムラ及び輝度ムラを低減するように温度制御を比較的容易に行うことが可能となる。更に、経年劣化に係る、基板面内における劣化ムラ及び該劣化ムラに起因した輝度ムラを低減するように、温度制御を行うことも可能となる。
【００１５】
加えて、温度制御部のうち発熱体等を、例えば透明性導電材料により形成すれば、基板上に平面的に見て、開口領域に、その少なくとも一部を重畳させて設置することができる。よって、温度制御部の設置によって、開口率が低下するのを防止することができる。他方、温度制御部のうち発熱体等を、例えば不透明な材料により形成する場合には、これを非開口領域に設置することで、発光素子の本来の機能である発光を邪魔しないで済む。
【００１６】
以上詳細に説明したように本発明の発光装置によれば、良好に温度制御を行いつつ、発光装置において高品質な表示を行うことが可能となる。
【００１７】
本発明の発光装置の一態様では、前記温度制御部は、前記通電をスイッチング制御するために形成された温度制御用スイッチング素子を更に含む。
【００１８】
この態様によれば、例えば薄膜トランジスタ（以下適宜「ＴＦＴ」と称する）により形成される温度制御用スイッチング素子が、画素部毎に設けられるか、或いは、所定数の画素部毎に、これら画素部に共通に設けられる。そして、温度制御用スイッチング素子によって、発熱体への通電をスイッチング制御することにより、温度制御用スイッチング素子のオン・オフのタイミングに基づいて、温度制御部の動作時間を制御することが可能となる。加えて、温度制御用スイッチング素子によって、発熱体への通電に係る通電量、言い換えれば発熱体に通電する電流量を制御することも可能である。よって、この態様では、温度制御部によって、より精度良く温度制御を行うことが可能となる。
【００１９】
本発明の発光装置の他の態様では、前記温度制御部は、前記発光素子の温度が、前記温度制御を行わない場合と比較して前記複数の画素部間で均一に近付くように温度制御を行う。
【００２０】
この態様によれば、発光装置の駆動時、温度制御部は、複数の画素部において、発光素子の温度の低い画素部、或いは発光素子の温度の高い画素部を基準として、他の画素部における発光素子の温度を低くするか或いはこれに加えて若しくは代えて高くすることにより温度制御を行う。これにより、各画素部において、発光素子の温度について、画素部の配置や駆動条件に適した温度制御を行うことが可能となる。
【００２１】
本発明の発光装置の他の態様では、前記温度制御部は、前記画素部毎に前記温度制御を行う。
【００２２】
この態様によれば、温度制御部は画素部毎に形成され、画素部毎に、温度制御部における、発熱体に対する通電に係る電流量や動作時間を変化させることで、温度制御を行う。よって、この態様では、各画素部において、発光素子の温度について、画素部の配置や駆動条件に基づいて生じる温度差を精度良く温度制御部によって是正することが可能となる。従って、各画素部において、発光素子の温度制御をより精度良く行うことが可能となる。
【００２３】
本発明の発光装置の他の態様では、前記複数の画素部は、赤、緑、及び青の各々に相当する光を発光する３種類の前記発光素子を含み、前記温度制御部は、前記３種類の発光素子について、相互間の温度差を縮めるように前記温度制御を行う。
【００２４】
この態様によれば、複数の画素部は、例えば、Ｒ（赤）用、Ｇ（緑）用、及びＢ（青）用の３種類として形成され、各種の画素部では、Ｒ、Ｇ、及びＢの３種類のいずれかに相当する光を発光する発光素子が形成される。ここで、「Ｒ、Ｇ、及びＢの３種類のいずれかに相当する光」とは、Ｒ、Ｇ、及びＢの３種類のいずれかとスペクトル的に同じでなくても、最終的に視角により感知される色が、当該色と殆ど又は実質的に同じであればよく、Ｒ、Ｇ、及びＢの３種類のいずれかに相当する波長の強度が強められた光も含む意味である。
【００２５】
また、温度制御部は、画素部毎に形成されるか、或いはＲ用、Ｇ用、及びＢ用の３種類の画素部毎に、これら３種類の画素部に共通に形成される。或いは、これに限らず、Ｒ用の画素部に共通に、Ｂ用の画素部に共通に、及びＧ用の画素部に共通に、夫々温度制御部が形成されるようにしてもよい。
【００２６】
よって、この態様では、各画素部において、発光素子の温度について、Ｒ、Ｇ、及びＢの３種類の発光素子の駆動条件の違いに基づいて生じる温度差を縮めるように、温度制御部によって、精度良く温度制御を行うことができる。
【００２７】
本発明の発光装置の他の態様では、前記温度制御部は、前記基板上において、前記発光素子より下層側に配置されている。
【００２８】
この態様によれば、基板上において、温度制御部は、例えば、発光素子より下層側に、例えば層間絶縁膜を介して発光素子と層間絶縁されて形成されると共に、平面的に見て発光素子と重畳的に配置されて、形成される。この場合、温度制御部から、層間絶縁膜を介する熱伝導により、発光素子の温度制御が行われる。
【００２９】
そして、この態様では、基板上に平面的に見て、発光素子において、温度制御部と重畳する領域がより広くなるように、発光素子に対して温度制御部を配置させることにより、効率良く、温度制御部から発光素子への熱伝導を行うことが可能となる。その結果、各画素部における発光素子の温度制御を、より効率良く行うことができる。
【００３０】
本発明の発光装置の他の態様では、前記温度制御部は、前記基板上において、前記発光素子と同一の層に配置されている。
【００３１】
この態様によれば、発光装置の製造に係る工程数を削減することが可能となり、製造コストを削減することができる。
【００３２】
本発明の発光装置の他の態様では、前記温度制御部は、前記通電を行うことで前記発光素子を加熱することにより前記温度制御を行う。
【００３３】
この態様によれば、温度制御部を簡易な構成により実現することが可能となり、発光装置の製造に係るコストを削減できる。即ち、発熱する発光素子について冷却により所定温度を実現するのに比べて、過熱或いは通電過熱により所定温度を実現する方が一般に制御及び製造が容易であり、コスト削減が可能となる。
【００３４】
この、発光素子を加熱することにより温度制御を行う態様では、前記発熱体は、前記基板上に積層された薄膜状の抵抗体を有するように構成してもよい。
【００３５】
このように構成すれば、薄膜状の抵抗体の材質や形状、特に膜厚、膜質や膜の形成領域を変化させることによって、容易に、温度制御部の抵抗値を所定値とすることが可能となる。また、薄膜状の抵抗体は、単一層膜に限らず、多層膜であってもよい。更に、薄膜状の抵抗体は、層間絶縁膜を介して複数存在していてもよい。
【００３６】
この、温度制御部が抵抗体により形成される態様では、前記抵抗体は、少なくとも部分的に透明性導電膜により形成されているように構成してもよい。
【００３７】
このように構成すれば、温度制御部の少なくとも一部を、基板上に平面的に見て、開口領域に配置することが可能となり、開口率を向上させることができる。
【００３８】
上述した、温度制御用スイッチング素子を備える態様では、前記画素部は、前記発光素子への通電をスイッチング制御すると共に、前記温度制御用スイッチング素子を兼ねる画素スイッチング素子を更に含むように構成してもよい。
【００３９】
このように構成すれば、発光装置を、アクティブマトリクス駆動方式により駆動させることが可能となる。また、この態様では、温度制御部を含めての画素部における回路素子や配線の数を低減することが可能となる。よって、発光装置の製造プロセスを簡易化し、製造コストを削減することができる。
【００４０】
本発明の発光装置の他の態様では、前記画素部は、前記発光素子として有機ＥＬ素子を含む。
【００４１】
この態様によれば、発光装置を有機ＥＬ装置として形成することができる。有機ＥＬ装置は特に、発光素子における発熱量が高く且つ温度変化による輝度変化も大きく、経年劣化も相対的に激しいので、本発明は極めて有効である。
【００４２】
本発明の電子機器は上記課題を解決するために、上述した本発明の発光装置（但し、その各種態様も含む）を具備する。
【００４３】
本発明の電子機器は、上述した本発明の発光装置を具備してなるので、高品質な表示を行うことが可能なテレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。更にはプリンタ、コピー、ファクシミリなどの画像形成装置における露光用ヘッド等に適用することができる。
【００４４】
本発明のこのような作用及び他の利得は次に説明する実施の形態から明らかにされる。
【発明を実施するための最良の形態】
【００４５】
以下では、本発明の実施の形態について図を参照しつつ説明する。以下の実施形態は、本発明の発光装置を、アクティブマトリクス駆動方式の有機ＥＬ装置に適用したものである。
【００４６】
＜１：第１実施形態＞
本発明の発光装置に係る第１実施形態について、図１から図４を参照して説明する。
【００４７】
＜１−１；有機ＥＬ装置の全体構成＞
先ず、図１を参照して、有機ＥＬ装置の全体構成について説明する。図１は、本実施形態に係る有機ＥＬ装置の全体構成を示すブロック図である。
【００４８】
有機ＥＬ装置における画像表示領域１１０には、縦横に配線されたデータ線１１４及び走査線１１２が設けられており、それらの交点に対応して夫々形成された３種の画素部７０Ｒ、７０Ｇ、及び７０Ｂはマトリクス状に配列される。
【００４９】
本実施形態では、カラー表示を行うために、画像表示領域１１０には例えば、Ｒ用、Ｇ用、及びＢ用の３種の画素部７０Ｒ、７０Ｇ、７０Ｂが設けられると共に、これら３種の画素部７０Ｒ、７０Ｇ、７０Ｂに対応する３種のデータ線１１４及び３種の電源供給線１１７が設けられる。電源供給線１１７は、画像表示領域１１０において、各データ線１１４に対応させて形成されている。
【００５０】
また、画像表示領域１１０の周辺に位置する周辺領域には、走査線駆動回路１３０及びデータ線駆動回路１５０が設けられている。走査線駆動回路１３０は複数の走査線１１２に走査信号を順次供給する。また、データ線駆動回路１５０は、画像表示領域１１０に配線された３種のデータ線１１４に、Ｒ用、Ｇ用、及びＢ用の３種の画像信号を供給する。尚、２種の走査線駆動回路１３０の動作と、データ線駆動回路１５０の動作とは、図１中には図示しない外部回路から供給される同期信号１６０によって相互に同期が図られる。また、電源供給線１１７には、外部回路から画素駆動用電源が供給される。
【００５１】
ここで、図１中、３種の画素部７０Ｒ、７０Ｇ、７０Ｂのうち、Ｒ用の画素部７０Ｒに着目すれば、Ｒ用の画素部７０Ｒには、赤色に相当する光を発光する有機ＥＬ素子７２Ｒが設けられる。また、Ｒ用の画素部７０Ｒには、例えば夫々ＴＦＴを用いて構成され、本発明に係る「画素スイッチング素子」の一例である、スイッチング用トランジスタ７６及び駆動用トランジスタ７４、並びにこれら以外の回路素子として保持容量７８が設けられている。尚、３種の画素部７０Ｒ、７０Ｇ、及び７０Ｂは夫々互いに同様の構成を有するものとする。また、Ｇ用の画素部７０Ｇには、緑色に相当する光を発光する有機ＥＬ素子７２Ｇが設けられると共に、Ｂ用の画素部７０Ｂには、青色に相当する光を発光する有機ＥＬ素子７２Ｂが設けられる。
【００５２】
スイッチング用トランジスタ７６のゲート電極には走査線１１２が電気的に接続されており、スイッチング用トランジスタ７６のソース電極にはデータ線１１４が電気的に接続され、スイッチング用トランジスタ７６のドレイン電極には駆動用トランジスタ７４のゲート電極が電気的に接続されている。また、駆動用トランジスタ７４のソース電極には、電源供給線１１７が電気的に接続されており、駆動用トランジスタ７４のドレイン電極には有機ＥＬ素子７２Ｒの陽極が電気的に接続されている。
【００５３】
尚、図１に例示した画素回路の構成の他にも、電流プログラム方式の画素回路、電圧プログラム方式の画素回路、電圧比較方式の画素回路、サブフレーム方式の画素回路等の各種方式の画素回路を採用することが可能である。
【００５４】
＜１−２：画素部の構成＞
次に、図２及び図３を参照して、３種の画素部７０Ｒ、７０Ｇ、及び７０Ｂの更に詳細な構成について説明する。図２は、任意の画素部の平面図であり、図３は図２に示す画素部のＡ−Ａ'断面図である。尚、図２及び図３においては、各層・各部材を図面上で認識可能な程度の大きさとするため、各層・各部材ごとに縮尺を異ならしめてある。また、図２及び図３においては、３種の画素部７０Ｒ、７０Ｇ、及び７０Ｂを各々の区別なしに、画素部７０として示すと共に、３種の有機ＥＬ素子７２Ｒ、７２Ｇ、及び７２Ｂの各々についても区別しないで有機ＥＬ素子７２として示してある。
【００５５】
図２に示されるように、例えば透明樹脂やガラス基板等の透明部材により構成される基板１０上には、スイッチング用トランジスタ７６及び駆動用トランジスタ７４の半導体層３が形成されると共に、本発明に係る「温度制御部」が含む「発熱体」の一例に相当する抵抗体８０が形成されている。尚、基板１０における垂直方向の厚さｄ０は、例えば数百μｍ程度として形成されている。
【００５６】
抵抗体８０には、これと同一又は別材料からなり、抵抗体８０に電流を供給するための通電用配線８０Ｓが接続されている。通電用配線８０Ｓは、例えば画素部７０Ｒ、７０Ｇ、及び７０Ｂが配列された画素アレイ領域の周囲にまで引き出されて、周辺領域にて電流供給用の電源に接続されている。尚、一の画素部に対応する抵抗体８０に接続された通電用配線８０Ｓは、他の画素部に対応する抵抗体８０を介して、画素アレイ領域の周囲にまで引き出されてもよいし、単独で引き出されてもよい。更に、画素駆動用の電源を、画素アレイ領域又は周辺領域にて通電用配線８０Ｓに接続すること、即ち抵抗体８０と画素部との電源を共用することも可能である。
【００５７】
半導体層３は例えば低温ポリシリコン技術を用いて形成される。また、抵抗体８０は、画素部７０毎に設けられると共に、例えば、基板１０上に平面的に見て、有機ＥＬ素子７２と重畳するように形成されている。抵抗体８０は、少なくとも、基板１０上に平面的に見て有機ＥＬ素子７２に重畳する部分が、例えばＩＴＯ（Indium Tin Oxide）等の透明性導電膜により形成されるのが好ましい。
【００５８】
このように、本発明に係る「温度制御部」は、抵抗体８０として、簡易な構成で形成することが可能であり、これにより有機ＥＬ装置の製造に係るコストを削減することができる。また、抵抗体８０を構成する透明性導電膜の材質や、形状等を変化させることによって、容易に抵抗値を変化させることが可能である。尚、基板１０上に平面的に見た、抵抗体８０のパターン形状は、Ｒ用、Ｇ用、及びＢ用の画素部７０Ｒ、７０Ｇ、及び７０Ｂの各々で、同様の形状としてもよいし、互いに異なる形状とすることも可能である。
【００５９】
特に、抵抗体８０をＩＴＯ等の透明性導電膜から形成する場合には、これを画素部７０Ｒ、７０Ｇ、及び７０Ｂの開口領域内に平面配置することができるので、抵抗体８０による近接位置からの温度制御が可能となると共に、抵抗体８０が発光の妨げとなることも殆どない。
【００６０】
逆に、抵抗体８０を不透明或いは半透明の導電膜から形成する場合には、画素部７０Ｒ、７０Ｇ、及び７０Ｂを囲む領域、言い換えれば、非開口領域に、抵抗体８０を平面配置すればよい。このように構成しても、抵抗体８０による近接位置からの温度制御が可能となると共に、抵抗体８０が発光の妨げとなることも殆どない。
【００６１】
また、図示はしていないが、トップエミッション構造を用いれば、不透明或いは半透明の導電膜を画素に重畳することができる。この場合は、抵抗値、プロセス簡略性から抵抗体としてポリシリコン膜を使用することが好ましい。
【００６２】
また、半導体層３上には、半導体層３及び抵抗体８０を埋め込んで、スイッチング用トランジスタ７６及び駆動用トランジスタ７４のゲート絶縁層２が形成されている。更には、ゲート絶縁層２上に、駆動用トランジスタ７４のゲート電極３ａ及び走査線１１２が形成されている。走査線１１２の一部は、スイッチング用トランジスタ７６のゲート電極として形成されている。ゲート電極３ａ及び走査線１１２は、Ａｌ（アルミニウム）、Ｗ（タングステン）、Ｔａ（タンタル）、Ｍｏ（モリブデン）、Ｔｉ（チタン）、銅（Ｃｕ）等のうち少なくとも一つを含む金属材料を用いて形成されている。
【００６３】
また、走査線１１２や駆動用トランジスタ７４のゲート電極３ａを埋め込んで、ゲート絶縁層２上には層間絶縁層４１が形成されている。層間絶縁層４１及びゲート絶縁層２は例えばシリコン酸化膜から構成されている。
【００６４】
層間絶縁層４１上には、例えばアルミニウム（Ａｌ）又はＩＴＯを含む導電材料から夫々構成される、データ線１１４及び電源供給線１１７、更には駆動用トランジスタ７４のドレイン電極４２が形成されている。
【００６５】
層間絶縁層４１には、層間絶縁層４１の表面から層間絶縁層４１及びゲート絶縁層２を貫通して、駆動用トランジスタ７４の半導体層３に至るコンタクトホール５０１及び５０２が形成されている。図３に示すように、電源供給線１１７及びドレイン電極４２を構成する導電膜は、コンタクトホール５０１及び５０２の各々の内壁に沿って半導体層３の表面に至るように連続的に形成されている。
【００６６】
ここで、保持容量７８の下部容量電極は、走査線１１２と同一の層に、例えば同様の材料を用いて形成され、電源供給線１１７の一部が保持容量７８の上部容量電極として形成されている。層間絶縁層４１は誘電体膜として形成されており、層間絶縁層４１の一部分が下部容量電極及び上部容量電極の間に挟持される。
【００６７】
層間絶縁層４１上には、電源供給線１１７及びドレイン電極４２を埋め込んで、保護層４５として例えばシリコン窒化膜（ＳｉＮ）が形成されている。保護層４５上には、例えばシリコン酸化膜よりなる第１バンク層４６が形成され、更に第１バンク層４６上に第２バンク層４７が形成されている。第１バンク層４６及び第２バンク層４７によって、画素部７０における有機ＥＬ層５０の形成領域である開口領域が規定されている。
【００６８】
そして、開口領域に、その表面が露出するように、保護層４５上に、陽極３４が形成されている。陽極３４は、透明性導電材料としてＩＴＯを用いて、開口領域から延びてドレイン電極４２の一部と重畳するように形成されている。
【００６９】
開口領域において、第１及び第２バンク層４６及び４７より露出した陽極３４の表面上には有機ＥＬ層５０が形成される。有機ＥＬ層５０は、その具体的な構成については図示を省略するが、例えば、発光層、或いは発光層に加えて正孔注入層又は正孔輸送層等を含む。
【００７０】
また、陰極４９が、各画素部７０において、陽極３４との間で有機ＥＬ層５０を挟持するように、例えばアルミニウム（Ａｌ）を含む金属材料等により形成される。より具体的には、陰極４９は、陽極３４と対向配置され、典型的には、基板１０上において、有機ＥＬ層５０よりも上層側に、画像表示領域１１０の概ね全体にベタ一面に、即ちベタ状に、形成されるか、これに限らず、ストライプ状或いは島状、セグメント状のパターンとして形成されてもよい。
【００７１】
有機ＥＬ素子７２は、陽極３４及び陰極４９と、陽極３４及び陰極４９間に挟持される有機ＥＬ層５０を含む。尚、図３には、基板１０と対向して配置される、封止基板について、図示を省略してある。
【００７２】
有機ＥＬ装置の駆動時、走査線１１２を介して走査信号が供給されることにより、スイッチング用トランジスタ７６がオン状態になる。スイッチング用トランジスタ７６がオン状態となると、データ線１１４より画像信号が保持容量７８に書き込まれる。この保持容量７８に書き込まれた画像信号の電流に応じて、駆動用トランジスタ７４の電気的な導通状態が決まる。そして、駆動用トランジスタ７４のチャネルを介して電源供給線１１７より、保持容量７８に書き込まれた画像信号に応じた電流が有機ＥＬ素子７２の陽極３４に供給されると、供給された電流に応じて有機ＥＬ層５０における発光層が発光する。本実施形態では、図３中、矢印Ｘで示すように、有機ＥＬ素子７２からの発光を基板１０側から表示光として出射させるボトムエミッション型として、有機ＥＬ装置は構成されている。尚、本実施形態では、有機ＥＬ装置を封止基板側から表示光として有機ＥＬ素子７２の発光を出射させるトップエミッション型として構成してもよい。
【００７３】
本実施形態では、上述したように、抵抗体８０において、基板１０上に平面的に見て有機ＥＬ素子７２に重畳する一部が透明性導電膜により形成されることにより、このような抵抗体８０の一部を開口領域に配置したとしても、有機ＥＬ素子７２からの発光を遮ることは無い。よって、抵抗体８０の設置によって、開口率が低下するのを防止することができる。
【００７４】
＜１−３：有機ＥＬ素子の温度制御＞
次に、有機ＥＬ装置における温度制御について、図１から図３に加えて、図４を参照して説明する。図４は、有機ＥＬ素子の温度制御における抵抗体の動作について説明するための図である。
【００７５】
図４における上図に、Ｒ用、Ｇ用、及びＢ用の３種の画素部７０Ｒ、７０Ｇ、及び７０Ｂにおける、有機ＥＬ素子７２Ｒ、７２Ｇ、及び７２Ｂと、有機ＥＬ素子７２Ｒ、７２Ｇ、及び７２Ｂに対して配置されたＲ用、Ｇ用、及びＢ用抵抗体８０Ｒ、８０Ｇ、及び８０Ｂとの配置関係について示してある。尚、図４において、抵抗体へ通電するための通電用配線等については図示を省略してある。
【００７６】
図２及び図３を参照して説明したように、Ｒ用の画素部７０Ｒにおいては、基板１０上に平面的に見て、有機ＥＬ素子７２Ｒと重畳するように、Ｒ用抵抗体８０Ｒが配置されている。また、Ｇ用抵抗体８０Ｒ及びＢ用抵抗体８０Ｂについても夫々、Ｒ用抵抗体８０Ｒと同様に、Ｇ用及びＢ用の画素部７０Ｇ及び７０Ｂの各々に配置される。
【００７７】
有機ＥＬ装置の駆動時、３種の画素部７０Ｒ、７０Ｇ、及び７０Ｂでは夫々、有機ＥＬ素子７２Ｒ、７２Ｇ、及び７２Ｂの各々が発光することにより、印加電流に応じた輝度が得られる。また、有機ＥＬ素子７２Ｒ、７２Ｇ、及び７２Ｂの各々の発光に伴う温度変化は、印加電流によって所定範囲内となるように制御される。
【００７８】
ここで、３種の画素部７０Ｒ、７０Ｇ、及び７０Ｂにおいて夫々、有機ＥＬ素子７２Ｒ、７２Ｇ、及び７２Ｂの各々の駆動条件の相違に基づいて、有機ＥＬ素子７２Ｒ、７２Ｇ、及び７２Ｂの各々の温度変化も異なり、有機ＥＬ素子７２Ｒ、７２Ｇ、及び７２Ｂの各々で温度差が生じることがある。また、有機ＥＬ素子７２Ｒ、７２Ｇ、及び７２Ｂの各々の発光に伴う温度変化は、３種の画素部７０Ｒ、７０Ｇ、及び７０Ｂの各々の、基板１０上の位置によって異なることがある。例えば、基板１０上において、有機ＥＬ素子７２Ｒ、７２Ｇ、及び７２Ｂの発光により生じた熱が集中する箇所が生じ、該箇所に配置された画素部では顕著に有機ＥＬ素子の温度が上昇する。尚、このような有機ＥＬ素子７２の温度分布のばらつきは、基板１０上における画素部の配置密度によって異なるほか、これに加えて、更に基板１０のサイズによっても異なってくる。
【００７９】
そして、有機ＥＬ素子７２Ｒ、７２Ｇ、及び７２Ｂの各々の発光に伴い、有機ＥＬ素子７２Ｒ、７２Ｇ、及び７２Ｂの各々の温度が、印加電流によって規定される範囲外の値となることがあり、このような温度変化に起因して輝度も変化する。
【００８０】
本実施形態では、図４における下図に示されるように、例えば、外部回路２００によって供給される制御信号ＣＲ、ＣＧ、及びＣＢに基づいて、Ｒ用、Ｇ用、及びＢ用抵抗体８０Ｒ、８０Ｇ、及び８０Ｂを夫々動作させる。そして、Ｒ用、Ｇ用、及びＢ用抵抗体８０Ｒ、８０Ｇ、及び８０Ｂの各々の抵抗を変化させるのに加えて若しくは代えて、制御信号ＣＲ、ＣＧ、及びＣＢに基づいて、Ｒ用、Ｇ用、及びＢ用抵抗体８０Ｒ、８０Ｇ、及び８０Ｂの各々の電流や動作時間を変化させる。これにより、Ｒ用、Ｇ用、及びＢ用抵抗体８０Ｒ、８０Ｇ、及び８０Ｂによって、３種の画素部７０Ｒ、７０Ｇ、及び７０Ｂにおいて夫々、有機ＥＬ素子７２Ｒ、７２Ｇ、及び７２Ｂの各々の温度が均一となるように制御する。
【００８１】
以下では、３種の画素部７０Ｒ、７０Ｇ、及び７０Ｂの各々を区別をしないで単に画素部７０とし、有機ＥＬ素子７２Ｒ、７２Ｇ、及び７２Ｂの各々の区別をしないで有機ＥＬ素子７２とし、及びＲ用、Ｇ用、及びＢ用抵抗体８０Ｒ、８０Ｇ、及び８０Ｂの各々の区別をしないで単に抵抗体８０として、説明する。
【００８２】
各画素部７０では、抵抗体８０は、動作することにより、その抵抗値や電流或いは動作時間によって規定される熱量で発熱する。即ち、抵抗体８０における制御温度は、その抵抗値や電流或いは動作時間によって規定される。ここで、例えば、抵抗体８０における制御温度は、予め、有機ＥＬ装置を実験的に駆動させて、各画素部７０における有機ＥＬ素子７２の温度を測定することにより、決定される。そして、抵抗体８０における制御温度について、有機ＥＬ装置の実験的な駆動において、良好な再現性が得られれば、特に抵抗体８０の制御温度を測定する、例えば温度センサーを設置する必要は無い。
【００８３】
図３中、抵抗体８０と有機ＥＬ素子７２とを層間絶縁する３種の絶縁膜２、４１、及び４５を介する、抵抗体８０から有機ＥＬ素子７２への熱伝導により、有機ＥＬ素子７２は加熱される。これにより、抵抗体８０によって、各画素部７０の有機ＥＬ素子７２の温度を高くすることにより、有機ＥＬ素子７２の温度制御が行われる。
【００８４】
図３において、例えば基板１０に対して垂直方向の、有機ＥＬ素子７２と抵抗体８０とを隔てる３種の絶縁膜２、４１、及び４５の厚さｄ１は、例えば１μｍ程度であり、基板１０の垂直方向の厚さｄ０よりも極めて薄い。よって、基板１０において、有機ＥＬ素子７２が形成された側と反対側に抵抗体８０を設置して、基板１０を介する熱伝導により有機ＥＬ素子７２の温度制御を行う構成と比較して、基板１０上において、有機ＥＬ素子７２に、抵抗体８０をより接近させて配置することができる。
【００８５】
通常、有機ＥＬ装置の駆動時、各画素部７０では、有機ＥＬ素子７２の温度は７０℃程度となる。例えば、基板１０を介する熱伝導により有機ＥＬ素子７２の温度制御を行う場合、特に基板１０が、ガラスのように、比較的熱伝導率の低い材料から形成される場合には、抵抗体８０における制御温度と、有機ＥＬ素子７２の温度との温度差は１０℃程度となることもある。
【００８６】
これに対して本実施形態では、抵抗体８０からの有機ＥＬ素子７２に対する熱伝導の効率を向上させることが可能となり、抵抗体８０における制御温度と、有機ＥＬ素子７２の温度との間の温度差を小さくすることができる。特に、図２及び図３を参照して説明したように、基板１０上に平面的に見て、有機ＥＬ素子７２において、抵抗体８０と重畳する領域がより広くなるように、抵抗体８０を有機ＥＬ素子７２に対して配置させることにより、より効率良く、抵抗体８０から有機ＥＬ素子７２への熱伝導を行うことが可能となる。
【００８７】
本実施形態では、このような有機ＥＬ素子７２の温度制御は、例えば、抵抗体８０によって、有機ＥＬ素子７２の温度を、常に所定値とするか、或いはこれに加えて若しくは代えて所定値だけ高くするようにして、行われる。更に、このような絶対的な温度制御に加えて若しくは代えて、各画素部７０において、相対的に有機ＥＬ素子７２の温度が均一となるように温度制御を行うようにしてもよい。この場合、抵抗体８０は、複数の画素部７０において、有機ＥＬ素子７２の温度の高い画素部７０を基準として、他の画素部７０における有機ＥＬ素子７２の温度を高くすることにより温度制御を行う。これにより、各画素部７０において、有機ＥＬ素子７２の温度について、画素部７０の配置や駆動条件に適した温度制御を行うことが可能となる。
【００８８】
よって、以上説明したような本実施形態では、有機ＥＬ装置の駆動時、各画素部７０における有機ＥＬ素子７２の温度制御を精度良く行うことができる。従って、各画素部７０における有機ＥＬ素子７２の温度を均一にすることが可能となり、各画素部７０における有機ＥＬ素子７２の温度の相違に基づく、有機ＥＬ素子７２の輝度や劣化等の有機ＥＬ素子７２の発光特性の相違を是正することができる。従って、各画素部７０において、有機ＥＬ素子７２の発光特性を均一化させることができる。その結果、本実施形態では、有機ＥＬ装置において高品質な表示を行うことが可能となる。
【００８９】
尚、以上説明した本実施形態では、本発明に係る「温度制御部」として、抵抗体８０のような加熱手段に加えて若しくは代えて冷却手段を設けるようにしてもよい。この場合、各画素部７０では、温度制御部からの熱伝導により有機ＥＬ素子７２の温度を低くすることにより、温度制御が行われる。この際、温度制御部は、有機ＥＬ素子７２の温度が、常に所定値となるように、或いはこれに加えて若しくは代えて所定値だけ低くなるように、温度制御を行う。或いは、温度制御部は、各画素部７０で相対的に有機ＥＬ素子７２の温度が均一となるように、有機ＥＬ素子７２の温度の低い画素部７０を基準として、他の画素部７０における有機ＥＬ素子７２の温度を低くすることにより、温度制御を行う。
【００９０】
＜１−４：変形例＞
次に、以上説明した本実施形態の変形例について、図５及び図６を参照して説明する。
【００９１】
先ず、図５（ａ）及び図５（ｂ）を参照して、本変形例の一の構成について説明する。図５（ａ）は、本変形例の一の構成について、画素部における、有機ＥＬ素子と抵抗体との配置関係について示した図であって、図５（ｂ）は、本変形例の一の構成について、図３に対応する部分における断面の構成を示す断面図である。
【００９２】
図５（ｂ）に示されるように、各画素部７０において、抵抗体８０は、基板１０上において、保護層４５より上層側に、配置されて形成されてもよい。この場合、図５（ａ）に示されるように、抵抗体８０は、例えば、基板１０上に平面的に見て、有機ＥＬ素子７２の外周に沿うリング状のパターンとして形成されると共に、有機ＥＬ素子７２と電気的に絶縁されて形成される。このように構成すれば、有機ＥＬ装置の製造に係る工程数を削減することが可能となり、製造コストを削減することができる。特に、このような構成を採れば、抵抗体８０を透明材料から形成するという制約が外れるので、材料選択の自由度が増大する。
【００９３】
尚、図５の変形例では、リング状の抵抗体８０を保護層４５より上層側に配置したが、リング状の抵抗体を第１実施形態の場合と同様に、有機ＥＬ素子７２の下層側に配置することも可能である。この場合にも、抵抗体８０を透明材料から形成するという制約はなくなる。
【００９４】
次に、図６を参照して、本変形例の他の構成について説明する。図６は、本変形例の他の構成について、有機ＥＬ素子と抵抗体との配置関係について示した図である。
【００９５】
本変形例では、抵抗体８０は、基板１０上の画像表示領域１１０に形成された複数の画素部７０のうち、所定数の画素部７０毎に形成されてもよい。例えば、図６に示すように、抵抗体８０は、基板１０上に平面的に見て、Ｒ用、Ｇ用、及びＢ用の３種の画素部７０Ｒ、７０Ｇ、及び７０Ｂ毎に、これら３種の画素部７０Ｒ、７０Ｇ、及び７０Ｂに共通のパターンとして形成されてもよい。或いは、抵抗体８０の構成はこれに限らず、例えば、図１において、各走査線１１２或いは各データ線１１４に沿って設けられた画素部７０毎に、これらの画素部７０に共通のパターンとして形成されてもよい。このように構成すれば、より容易に、抵抗体８０を形成することが可能となる。
【００９６】
＜２：第２実施形態＞
本発明の発光装置に係る第２実施形態について、図７を参照して説明する。第２実施形態は、第１実施形態と比較して、温度制御用スイッチング素子を備える点が異なっている。よって、第１実施形態と異なる点についてのみ、図７を参照して説明し、第１実施形態と同様の構成については、図１から図６を参照して説明すると共に重複する説明を省略することもある。
【００９７】
図７は、第２実施形態における画素部の構成について、図３に対応する部分における断面の構成を示す断面図である。
【００９８】
図７において、例えば、基板１０上において、駆動用トランジスタ７４やスイッチング用トランジスタ７６と同一層に配置されて、画素部７０毎に、温度制御用スイッチング素子３００が例えばＴＦＴにより形成されている。より具体的には、基板１０上において、温度制御用スイッチング素子３００の半導体層３０３は、例えば半導体層３と同一の材料により、この半導体層３と同一層に形成されると共に、駆動用トランジスタ７４等のゲート絶縁層２が、温度制御用スイッチング素子３００の半導体層３０３上に延在させて形成されている。そして、このゲート絶縁層２上に、温度制御用スイッチング素子３００のゲート電極３０３ａが形成される。
【００９９】
また、基板１０上において、抵抗体８０は、画素部７０毎に配置され、層間絶縁層４１上に形成されている。また、層間絶縁層４１上には、抵抗体８０に加えて温度制御用スイッチング素子３００のソース電極３４２が形成されている。層間絶縁層４１には、該層間絶縁層４１及びゲート絶縁層２を貫通して温度制御用スイッチング素子３００の半導体層３０３の表面に至るコンタクトホール５１１及び５１２が開孔されている。そして、このコンタクトホール５１１及び５１２内において夫々、半導体層３０３の表面からコンタクトホール５１１及び５１２の各々の内壁に連続的に、ソース電極３４２及び抵抗体８０の各々を形成する導電膜が形成されている。尚、ソース電極３４２及び抵抗体８０は夫々同一の導電材料により形成されてもよいし、異なる導電材料により形成されてもよい。
【０１００】
そして、第２実施形態では、例えば、外部回路より、温度制御用スイッチング素子３００のソース電極３４２及びゲート電極３０３ａを夫々駆動するための制御信号が供給される。そして、温度制御用スイッチング素子３００は、ソース電極３４２及びゲート電極３０３ａが駆動されることによって、抵抗体８０の電流や動作時間を制御する。即ち、抵抗体８０は、温度制御用スイッチング素子３００によって、その電流が制御されると共に、温度制御用スイッチング素子３００がオン状態となるタイミング又はオフ状態となるタイミングに基づいて、その動作時間が制御される。
【０１０１】
よって、第２実施形態では、有機ＥＬ装置の駆動時、各画素部７０における有機ＥＬ素子７２の温度制御をより精度良く行うことが可能となる。
【０１０２】
尚、以上説明した第２実施形態では、駆動用トランジスタ７４及びスイッチング用トランジスタ７６のうちいずれか一方若しくは両方が、温度制御用スイッチング素子を兼ねるように構成されてもよい。この場合、抵抗体８０は、駆動用トランジスタ７４及びスイッチング用トランジスタ７６のうちいずれか一方若しくは両方のドレイン側に電気的に接続される。よって、このように構成すれば、画素部７０における回路素子や配線の数を低減することが可能となる。従って、有機ＥＬ装置の製造プロセスを簡易化し、製造コストを削減することができる。
【０１０３】
また、温度制御用スイッチング素子３００は、基板１０上における複数の画素部７０のうち、所定数の画素部７０毎に、これらの画素部７０に共通に形成されてもよい。この場合、例えば、温度制御用スイッチング素子３００は、複数の画素部７０のうち、所定数の画素部７０毎に、これらの画素部７０に夫々形成された抵抗体８０に、そのドレイン側が電気的に接続される。
【０１０４】
＜４：電子機器＞
次に、上述した、第１又は第２実施形態に係る有機ＥＬ装置が各種の電子機器に適用される場合について説明する。
【０１０５】
＜４−１：モバイル型コンピュータ＞
先ず、この有機ＥＬ装置を、モバイル型のパーソナルコンピュータに適用した例について説明する。図８は、このパーソナルコンピュータの構成を示す斜視図である。図において、コンピュータ１２００は、キーボード１２０２を備えた本体部１２０４と、有機ＥＬ装置を用いて構成された表示ユニット１２０６とを備えている。
【０１０６】
＜４−２；携帯電話＞
さらに、この有機ＥＬ装置を、携帯電話に適用した例について説明する。図９は、この携帯電話の構成を示す斜視図である。図において、携帯電話１３００は、複数の操作ボタン１３０２とともに有機ＥＬ装置を備えるものである。
【０１０７】
この他にも、有機ＥＬ装置は、ノート型のパーソナルコンピュータ、ＰＤＡ、テレビ、ビューファインダ、モニタ直視型のビデオテープレコーダ、カーナビゲーション装置、ページャ、電子手帳、電卓、ワードプロセッサ、ワークステーション、ＰＯＳ端末、タッチパネルなど、更には有機ＥＬ装置を露光用ヘッドとして用いたプリンタ、コピー、ファクシミリ等の画像形成装置などの装置等に適用することができる。
【０１０８】
本発明は、上述した実施形態に限られるものではなく、請求の範囲及び明細書全体から読み取れる発明の要旨、あるいは思想に反しない範囲で適宜変更可能であり、そのような変更を伴う発光装置及び該発光装置を備えた各種電子機器もまた、本発明の技術的範囲に含まれるものである。
【図面の簡単な説明】
【０１０９】
【図１】第１実施形態に係る有機ＥＬ装置の全体構成を示すブロック図である。
【図２】任意の画素部の平面図である。
【図３】図２に示す画素部のＡ−Ａ'断面図である。
【図４】有機ＥＬ素子の温度制御における抵抗体の動作について説明するための図である。
【図５】図５（ａ）は、変形例の一の構成について、画素部における有機ＥＬ素子と抵抗体との配置関係について示した図であって、図５（ｂ）は、本変形例の一の構成について、図３に対応する部分における断面の構成を示す断面図である。
【図６】変形例の他の構成について、有機ＥＬ素子と抵抗体との配置関係について示した図である。
【図７】第２実施形態における画素部の構成について、図３に対応する部分における断面の構成を示す断面図である。
【図８】電気光学装置を適用した電子機器の一例たるパーソナルコンピュータの構成を示す斜視図である。
【図９】電気光学装置を適用した電子機器の一例たる携帯電話の構成を示す斜視図である。
【符号の説明】
【０１１０】
１０…基板、７０…画素部、７２…有機ＥＬ素子、８０…温度制御部
【図１】
2007081094.tif 000003
【図２】
2007081094.tif 000004
【図３】
2007081094.tif 000005
【図４】
2007081094.tif 000006
【図５】
2007081094.tif 000007
【図６】
2007081094.tif 000008
【図７】
2007081094.tif 000009
【図８】
2007081094.tif 000010
【図９】
2007081094.tif 000011